(57)【要約】【課題】ブラシ毛に引っ張り方向の外力が作用しても毛抜けが生じにくいブラシを提供する。【解決手段】ブラシ１は、長手方向に複数回連続的に撚られた複数の金属製の芯線４の間に、当該芯線４の撚りに沿って螺旋状に並ぶブラシ毛６の列を有するねじりブラシ体２と、それが挿入される中心孔３ａを有する軸筒体３と、を具備する。ねじりブラシ体２のブラシ毛６は、軸筒体３の中心孔３ａ内において先端を軸筒体３の一端側に向けるよう屈折し、かつ少なくとも先端側の一部が軸筒体３の一端側に延出している。【選択図】図３
2015070872.tif 000002
【特許請求の範囲】
【請求項１】
長手方向に複数回連続的に撚られた複数の金属製の芯線の間に、当該芯線の撚りに沿って螺旋状に並ぶブラシ毛の列を有するねじりブラシ体と、
前記ねじりブラシ体が挿入される中心孔を有する軸筒体と、を具備し、
前記ねじりブラシ体のブラシ毛が、前記軸筒体の中心孔内において先端を当該軸筒体の一端側に向けるよう屈折し、かつ少なくとも先端側の一部が軸筒体の一端側に延出していることを特徴とするブラシ。
【請求項２】
前記ねじりブラシ体が、前記軸筒体の中心孔内で、軸線方向の位置を変更可能であり、それによって、軸筒体の一端側からの前記ブラシ毛の先端側の延出長さを調整可能であることを特徴とする請求項１に記載のブラシ。
【請求項３】
前記ねじりブラシ体が、前記軸筒体の一端側に成形された圧搾部により軸筒体に固定されることを特徴とする請求項１に記載のブラシ。
【請求項４】
前記ねじりブラシ体が、前記軸筒体の一端側に成形された扁平な圧搾部により軸筒体に固定され、
前記ブラシ毛が、前記扁平な圧搾部から扁平に並んで、先端側へ広がるように延出していることを特徴とする請求項３に記載のブラシ。
【請求項５】
前記ブラシ毛が波付きステンレス鋼線材からなり、先端部において熊手状に屈曲していることを特徴とする請求項４に記載のブラシ。
【発明の詳細な説明】
【技術分野】
【０００１】
本発明は、ブラシ毛を軸筒体の一端側から延出させたブラシに関する。
【背景技術】
【０００２】
従来、軸棒体の先端から筆状あるいは箒状にブラシ毛が延出する形態のブラシとして、例えば特許文献１に記載されたものが知られている。このブラシおいては、一方向に複数の毛材を揃えて束ねた毛束の一端側が筒状の毛束保持部材内に挿嵌される。毛束は、毛束保持部材内において接着剤が含浸され、接着剤によって結束され、かつ毛束保持部材に固着される。また、特許文献２に開示されたブラシは、毛束を、その長さの中央付近において金属線材等により結束し、これを結束部で２つ折りにして軸筒内に挿入し、接着やカシメにより固定する構造である。特許文献３には、多数本のブラシ素線の上端部を金属製のブラシヘッドによって束ねた構成のセグメントブラシを保持筒に挿入して毛先を保持筒から露出させ、毛先の摩耗に応じてセグメントブラシを保持筒から押し出すことにより、毛先の露出長さを調整する回転ブラシ装置が提案されている。
【先行技術文献】
【特許文献】
【０００３】
【特許文献１】特開２００９−２２５６０号公報
【特許文献２】特開平７−２５０７１１号公報
【特許文献３】特開平１１−７０４７７号公報
【発明の概要】
【発明が解決しようとする課題】
【０００４】
上記従来のいずれのブラシにおいても、ブラシ毛に、個別に軸線方向の引っ張り力が作用すると、その根元が結束部から脱落して抜けやすい難点がある。特許文献２に記載されたブラシにおいても、必要量の毛材を一束にして針金で結束するため、針金から遠い、束の中心部の毛材に対する結束力が弱く、この部分の毛材が抜けやすくなる。いったん毛束の中心部の毛抜けが生じると、毛束全体の結束力が弱まるので、毛抜けの発生が著しくなる。
したがって、本発明は、ブラシ毛に引っ張り方向の外力が作用しても毛抜けが生じにくいブラシを提供することを目的としている。
【課題を解決するための手段】
【０００５】
以下、添付図面の符号を参照して説明するが、本発明はこれに限定されるものではない。
上記課題を解決するための、本発明のブラシ１は、長手方向に複数回連続的に撚られた複数の金属製の芯線４の間に、当該芯線４の撚りに沿って螺旋状に並ぶブラシ毛６の列を有するねじりブラシ体２と、それが挿入される中心孔３ａを有する軸筒体３と、を具備する。ねじりブラシ体２のブラシ毛６は、軸筒体３の中心孔３ａ内において先端を軸筒体３の一端側に向けるよう屈折し、かつ少なくとも先端側の一部が軸筒体３の一端側に延出している。
ねじりブラシ体２は、軸筒体３の中心孔３ａ内で、軸線方向の位置を変更可能とし、それによって、軸筒体３の一端側からのブラシ毛６の延出長さを調整可能とすることができる。
また、ねじりブラシ体２は、軸筒体３の一端側に成形された圧搾部３ｂにより軸筒体３に固定される構成とすることができる。
扁平な圧搾部３ｂとすることにより、ブラシ毛６が扁平に並んで、先端側へ広がるように延出する形態にできる。
ブラシ毛６は、波付きステンレス鋼線材から構成し、先端部において熊手状に屈曲させることができる。
【発明の効果】
【０００６】
本発明のブラシは、それを構成するブラシ毛６が、芯線の撚りに沿って螺旋状に並んで延出するものであり、個々の毛材が撚られた芯線４によって強固に挟持されているため、ブラシ毛６に引っ張り方向の外力が作用しても毛抜けが生じにくい。
【図面の簡単な説明】
【０００７】
【図１】本発明に係るブラシの製造過程を示す説明図である。
【図２】本発明に係るブラシの断面図である。
【図３】本発明に係るブラシの他の実施形態を示す一部切欠平面図である。
【図４】図３のブラシの側面図である。
【発明を実施するための形態】
【０００８】
図面を参照して本発明の実施の形態を説明する。
図１において、ブラシ１は、ねじりブラシ体２と、軸筒体３とを具備する。ブラシ１を構成するねじりブラシ体２は、長手方向に連続的に撚られた２本の金属製の芯線４からなる撚線軸５に、螺旋状に並ぶブラシ毛６の列を保持してなる。ブラシ毛６は、芯線４，４間に、これらの芯線４，４に対してほぼ直交する方向に延出し、芯線４，４の撚りに沿って螺旋状に並ぶ。なお、図において紙面から立ち上がる方向に延びるブラシ毛６は図示を省略した。
【０００９】
芯線４によるブラシ毛６の挟持力を最も強固にするには、ブラシ毛６を芯線４，４間に一列に配列し、個々のブラシ毛６の全てが、芯線４，４により直接挟持されるようにすることである。所望の挟持力が得られるよう、ブラシ毛６の並列数を調整する。ブラシ毛６の材質は、天然素材、合成樹脂、金属のいずれでもよい。
【００１０】
軸筒体３は、図示の実施形態においてねじりブラシ体２が挿入される中心孔３ａを有する金属筒体で構成されるが、合成樹脂製であってもよい。
【００１１】
ねじりブラシ体２は、軸筒体３の中心孔３ａ内に挿入される。ねじりブラシ体２のブラシ毛６は、軸筒体３の中心孔３ａ内において、先端を軸筒体３の一端側に向けるよう二つ折りに屈折し、かつ少なくとも先端側の一部が軸筒体３の一端側に延出する。この状態でブラシ１が構成される。ブラシ１は、軸筒体３を適宜の形態で保持し、その一端側から延出したブラシ毛６で対象物を摩擦することにより、塗布、清掃、研磨等、所用の目的に用いられる。
【００１２】
ねじりブラシ体２は、軸筒体３の中心孔３ａ内で軸線方向の位置を変更可能に構成することができる。それによって、軸筒体３の一端側からのブラシ毛６の延出長さを調整し、使用目的に適合した所望の毛腰を得ることができる。その最も簡易な構成は、ねじりブラシ体２の撚線軸５を軸筒体３に貫通させ、他端側から延出した撚線軸５の延出長さを手で調整して作業を行う手工具としてのブラシ１である（図示せず）が、他にねじりブラシ体２を軸筒体３内で進退させる機構は、軸筒体３に螺合するねじ棒を用いる等、公知のものから種々採用できる。
【００１３】
図２ないし４に示す他のブラシ１においては、ねじりブラシ体２が、軸筒体３の一端側に成形された圧搾部３ｂにより軸筒体３に固定される。図２は、圧搾部３ｂが円筒状に形成されたブラシ１を示す。
【００１４】
図３，４には、圧搾部３ｂを扁平に形成したブラシ１を示す。ブラシ毛６は、波付きステンレス鋼線材からなり、扁平に並んで、先端側へ広がるように延出し、先端部において熊手状に曲がった屈曲部６ａを有する。このブラシ１は、小さく複雑な形状の凹凸部に強固に付着している夾雑物を掻き出す用途に適している。ブラシ毛６の根元が撚られた芯線４に挟持され、そこで二つ折りに屈曲し、さらに圧搾部３ｂで固定されているので、作業時にブラシ毛６が強く引かれても、軸筒体３から抜け出すおそれがない。例えば、生け花に使用される剣山の針の間に挟まった夾雑物を掻き出す用途に最適である。
使用目的に応じて、ブラシ毛６を直線状に延出させることもできる。
【符号の説明】
【００１５】
１    ブラシ
２    ねじりブラシ体
３    軸筒体
３ａ  中心孔
３ｂ  圧搾部
４    芯線
５    ねじり軸
６    ブラシ毛
６ａ  屈曲部
【図１】
2015070872.tif 000003
【図２】
2015070872.tif 000004
【図３】
2015070872.tif 000005
【図４】
2015070872.tif 000006